(57)【要約】【課題】ケーブルを容易に支持可能であって、且つ、ケーブルの寿命の向上が可能なケーブル支持構造及びポンプ装置を提供すること。【解決手段】ケーブル支持構造１５は、断面が円形状に構成されたケーブル４１に設けられ、円柱状の被支持部５１ａ、被支持部５１ａの軸方向の両端にそれぞれ設けられ、被支持部５１ａの外径よりも被支持部５１ａの径方向に大きい外形状を有する一対のフランジ５１ｂ及び一方のフランジ５１ｂに設けられたケーブルブーツ５１ｃを有する支持具５１と、被支持部５１ａを支持するクリップ５２と、を備える。【選択図】      図１
2019030068.tif 000002
【特許請求の範囲】
【請求項１】
断面が円形状に構成されたケーブルに設けられ、円柱状の被支持部、前記被支持部の軸方向の両端にそれぞれ設けられ、前記被支持部の外径よりも前記被支持部の径方向に大きい外形状を有する一対のフランジ及び一方の前記フランジに設けられたケーブルブーツを有する支持具と、
前記被支持部を支持するクリップと、
を備えることを特徴とするケーブル支持構造。
【請求項２】
前記クリップは、前記被支持部を配置可能な曲率半径を有し、その一部が前記被支持部の外径よりも小さい幅で開口する円弧筒状に構成されることを特徴とする請求項１に記載のケーブル支持構造。
【請求項３】
前記クリップは、前記開口する両端部にそれぞれ設けられたリップを有し、
前記リップは、その幅が前記被支持部の幅よりも大きく構成され、
前記クリップは、前記リップ間を連続する円弧筒状の部位の幅が前記被支持部の幅と同一に構成されることを特徴とする請求項２に記載のケーブル支持構造。
【請求項４】
メカニカルシールを収容するシール室、及び、前記シール室に潤滑剤を供給する供給孔を有するポンプと、
前記ポンプの上部に固定されたモータと、
前記モータの上部に設けられた電装部と、
前記電装部に一端が接続されるケーブル、前記ケーブルに設けられ、一対のフランジ、前記一対のフランジ間に設けられた円柱状の被支持部及び一方の前記フランジに設けられたケーブルブーツを有する支持具、並びに、前記ケーブルの他端に設けられたフロートを具備するフロートスイッチと、
前記供給孔を閉塞するプラグ、前記プラグに一体に設けられた前記被支持部を支持するクリップを有する支持プラグと、
を備えることを特徴とするポンプ装置。
【請求項５】
前記クリップは、前記被支持部を配置可能な曲率半径を有し、その一部が前記被支持部の外径よりも小さい幅で一部が開口する円弧筒状に構成されることを特徴とする請求項４に記載のポンプ装置。
【請求項６】
前記クリップは、前記開口する両端部にそれぞれ設けられたリップを有し、
前記リップは、その幅が前記被支持部の幅よりも大きく構成され、
前記クリップは、前記リップ間を連続する円弧筒状の部位の幅が前記被支持部の幅と同一に構成されることを特徴とする請求項５に記載のポンプ装置。
【請求項７】
一方向に長いロッドと、前記ロッドの一方側に少なくとも一つ設けられた前記クリップと、前記ロッドを重力方向に沿って前記電装部の外面に固定する基部と、を有する支持部材を備えることを特徴とする請求項４乃至請求項６のいずれか一項に記載のポンプ装置。
【請求項８】
前記基部は、前記ロッドを固定する位置を変更可能に構成されることを特徴とする請求項７に記載のポンプ装置。
【発明の詳細な説明】
【技術分野】
【０００１】
本発明は、フロートスイッチ等のケーブルを支持するケーブル支持構造及びポンプ装置に関する。
【背景技術】
【０００２】
現在、汚水槽内の汚水等を排水する手段として、水中に設置される所謂水中ポンプと呼ばれるポンプ装置が知られている。このようなポンプ装置は、ポンプ室を有するポンプケーシング内に羽根車が収容されたポンプと、羽根車を回転させるモータを有する。ポンプ装置は、モータにより羽根車を駆動することで、ポンプ室内で羽根車が回転し、ポンプ室内に吸い込んだ液体を増圧して二次側に吐出する。
【０００３】
このようなポンプ装置は、汚水槽内の水位を検出するために、ケーブルにフロートが設けられたフロートスイッチが用いられる。フロートスイッチは、所定の水位でフロートが水面に浮遊し、フロート内のスイッチが切り替えられるように、所定の高さ位置で固定される。そこで、フロートスイッチのケーブルを、ケーブルが配置される溝を有するクランプ及びクランプが固定されるロッドで挟み込んで、ケーブルをロッドに固定するケーブル支持構造が知られている（例えば、特許文献１参照）。
【０００４】
このようなケーブル支持構造は、ケーブルの外径よりもクランプの溝の深さを小さく設定することで、ケーブルがロッドと密着し、ケーブル及びロッド間に大きな摩擦を生じさせて、ケーブルの位置ずれが生じることを防止可能に構成される。
【先行技術文献】
【特許文献】
【０００５】
【特許文献１】特開平７−２５２８２号公報
【発明の概要】
【発明が解決しようとする課題】
【０００６】
上述したケーブル支持構造は、クランプの溝及びロッドの隙間にケーブルを挟んで固定する構成であることから、ケーブルの被覆部材が圧縮された状態でケーブルがロッドに固定される。このため、ケーブルは、被覆部材内の導体素線も固定されることから、フロートスイッチの上下運動時に、導体素線に曲げ応力が加わると言う問題がある。また、フロートスイッチの組立及び水位調整時に、ケーブルの支持位置からフロートまでの長さが、所望の長さと異なる長さでロッドに固定される虞がある。このため、設置時に、ケーブルの支持位置を計測してロッドに固定する必要がある等、作業性が悪い、という問題があった。
【０００７】
そこで本発明は、ケーブルを容易に支持可能であって、且つ、ケーブルの寿命の向上が可能なケーブル支持構造及びポンプ装置を提供することを目的とする。
【課題を解決するための手段】
【０００８】
前記課題を解決し目的を達成するために、本発明のケーブル支持構造及びポンプ装置は次のように構成されている。
【０００９】
本発明の一態様として、ケーブル支持構造は、断面が円形状に構成されたケーブルに設けられ、円柱状の被支持部、前記被支持部の軸方向の両端にそれぞれ設けられ、前記被支持部の外径よりも前記被支持部の径方向に大きい外形状を有する一対のフランジ及び一方の前記フランジに設けられたケーブルブーツを有する支持具と、前記被支持部を支持するクリップと、を備える。
【００１０】
本発明の一態様として、ポンプ装置は、メカニカルシールを収容するシール室、及び、前記シール室に潤滑剤を供給する供給孔を有するポンプと、前記ポンプの上部に固定されたモータと、前記モータの上部に設けられた電装部と、前記電装部に一端が接続されるケーブル、前記ケーブルに設けられ、一対のフランジ、前記一対のフランジ間に設けられた円柱状の被支持部及び一方の前記フランジに設けられたケーブルブーツを有する支持具、並びに、前記ケーブルの他端に設けられたフロートを具備するフロートスイッチと、前記供給孔を閉塞するプラグ、前記プラグに一体に設けられた前記被支持部を支持するクリップを有する支持プラグと、を備える。
【発明の効果】
【００１１】
本発明によれば、ケーブルを容易に支持可能であって、且つ、ケーブルの寿命の向上が可能なケーブル支持構造及びポンプ装置を提供することが可能となる。
【図面の簡単な説明】
【００１２】
【図１】本発明の一実施形態に係るポンプ装置の構成を一部断面で示す側面図。
【図２】同ポンプ装置に用いられるフロートスイッチ及びケーブル支持構造の支持具の構成を示す側面図。
【図３】同ケーブル支持構造の支持部材の構成を示す側面図。
【図４】同支持部材の構成を示す上面図。
【発明を実施するための形態】
【００１３】
以下、本発明の一実施形態に係るケーブル支持構造１５を用いたポンプ装置１を、図１乃至図４を用いて説明する。  
図１は本発明の一実施形態に係るポンプ装置１の構成を一部断面で示す側面図、図２はポンプ装置１に用いられるフロートスイッチ１４及びケーブル支持構造１５の支持具５１の構成を示す側面図、図３はケーブル支持構造１５のクリップ５２及び支持部材５３の構成を示す側面図、図４はクリップ５２及び支持部材５３の構成を示す上面図である。
【００１４】
図１に示すように、ポンプ装置１は、モータ１１と、モータ１１が上部に固定されるポンプ１２と、モータ１１及びポンプ１２の間に設けられたシール部材１３と、複数のフロートスイッチ１４と、フロートスイッチ１４を支持するケーブル支持構造１５と、電装部１６と、を備えている。このようなポンプ装置１は、例えば、汚水槽及び下水道等に設置され、異物（汚物等）を含む汚水を送水する所謂水中汚水ポンプである。
【００１５】
モータ１１は、モータケーシング内に固定子と、固定子により回転する回転子と、を備え、回転子に回転軸２１が接続される。モータ１１は、例えば永久磁石モータである。
【００１６】
ポンプ１２は、回転軸２１と、回転軸２１に固定される羽根車２２と、羽根車２２を収納するポンプケーシング２３と、ポンプケーシング２３を覆うケーシングカバー２４と、を備えている。
【００１７】
回転軸２１は、モータ１１の回転子と直接的又は間接的に接続され、回転子の回転に追従して回転可能に形成されている。回転軸２１は、例えば、モータケーシングにベアリング等の軸受を介して回転自在に支持されている。
【００１８】
羽根車２２は、例えば、ポンプケーシング２３内に挿入可能に形成されている。羽根車２２は、ポンプケーシング２３内で回転することで、水を圧送可能に形成されている。羽根車２２は、例えば、一枚の円板状のシュラウドに羽根が複数設けられたセミオープンタイプのインペラである。
【００１９】
図１に示すように、ポンプケーシング２３は、ポンプ装置１を設置面に設置した状態で下方に配置される吸込口３１と、外周面の一部に形成された吐出口３２と、吸込口３１及び吐出口３２と接続されるポンプ室３３と、モータケーシングと対向する位置に設けられ、ポンプ室３３と連続する開口部３４と、を備えている。また、ポンプケーシング２３は、その下面に、ポンプ装置１を設置させるための複数の脚部３７を備えている。
【００２０】
吸込口３１は、ポンプ装置１の設置面から所定の間隙を有して配置される。吐出口３２は、例えば、ポンプ室３３の径方向の一部に流体的に接続される。吐出口３２は、開口端の軸心方向が上方に向って開口する。吐出口３２には配管が接続される。
【００２１】
ポンプ室３３は、羽根車２２を収納可能に形成されている。また、ポンプ室３３は、羽根車２２によって増圧された液体を吐出口３２に案内可能な、ボリュート形状の流路を形成可能な内周面を有している。
【００２２】
開口部３４は、羽根車２２をポンプ室３３に挿入可能な内径を有している。取付面３５は、ケーシングカバー２４の端面と当接可能に形成されている。
【００２３】
脚部３７は、吸込口３１の周囲に等間隔に複数配置されている。脚部３７は、ポンプ装置１を設置面に設置した状態で、吸込口３１をポンプ装置１の設置面から所定の高さに配置可能な長さに構成される。
【００２４】
ケーシングカバー２４は、ポンプケーシング２３に接続され、ポンプケーシング２３の開口部３４を覆う。ケーシングカバー２４は、モータケーシングに接続される。ケーシングカバー２４は、モータケーシングとともに、シール室１３ａを構成する。ケーシングカバー２４は、その外周面の一部に、シール室１３ａに潤滑剤を供給する供給孔２４ａを有する。供給孔２４ａは、その内周面に雌螺子部が設けられる。
【００２５】
シール部材１３は、モータケーシング及びケーシングカバー２４の間に設けられ、回転軸２１とケーシングカバー２４の間を軸封可能に構成される。シール部材１３は、例えばメカニカルシールである。シール部材１３は、モータケーシング及びケーシングカバー２４により構成されるシール室１３ａに収容される。シール室１３ａは、例えば、潤滑剤が充填される。
【００２６】
図２に示すように、フロートスイッチ１４は、複数、例えば２つ設けられる。フロートスイッチ１４は、ケーブル４１と、ケーブル４１の一端に設けられたフロート４２と、フロートスイッチ１４内に設けられ、フロートスイッチ１４の傾斜角度で切り替えられるスイッチと、ケーブル４１の他端に接続されたコネクタと、を備えている。また、フロートスイッチ１４は、ケーブル４１の所定の位置に、ケーブル支持構造１５の後述する支持具５１が一体に固定される。ここで、所定の位置とは、ケーブル支持構造１５により支持される部位であり、フロートスイッチ１４から所定の長さの位置である。
【００２７】
ケーブル４１は、導体素線と、導体素線を被覆する被覆部材と、を備える。ケーブル４１は、その断面形状が円形状に構成される。ケーブル４１は、一端にフロート４２が固定されるとともに、スイッチが電気的に接続される。ケーブル４１は、他端にコネクタが接続される。ケーブル４１は、コネクタを介して、電装部１６に接続される。
【００２８】
図１乃至図４に示すように、ケーブル支持構造１５は、支持具５１と、クリップ５２と、支持部材５３と、支持プラグ５４と、を備えている。ケーブル支持構造１５は、複数のフロートスイッチ１４のケーブル４１を支持可能に構成されている。
【００２９】
支持具５１は、ケーブル４１の所定の位置に固定される。支持具５１は、円柱状の被支持部５１ａと、被支持部５１ａの軸方向の両端にそれぞれ設けられ、被支持部５１ａの外径よりも被支持部５１ａの径方向に大きい外形状を有する一対のフランジ５１ｂと、一方のフランジ５１ｂに設けられたケーブルブーツ５１ｃと、を備える。支持具５１は、被支持部５１ａ、一対のフランジ５１ｂ及びケーブルブーツ５１ｃが一体成形により樹脂材料で構成される。支持具５１は、ケーブル４１に予め一体成形されるか、または、ケーブル４１に一体に固定される。なお、この場合、支持具５１は、例えば、ケーブル４１に、熱収縮によって固定されるか、又は、接着剤により固定される。
【００３０】
フランジ５１ｂは、その外径が被支持部５１ａの外径よりも大径の円盤状に構成される。ケーブルブーツ５１ｃは、ケーブル４１のフロート４２側に配置されたフランジ５１ｂに一体に設けられる。ケーブルブーツ５１ｃは、例えば、フランジ５１ｂ側から所定の長さで突出する円錐台形状に構成される。ケーブルブーツ５１ｃは、その外周面に窪み及び孔が設けられることで、ケーブル４１を支持した状態で、撓むことが可能に構成される。
【００３１】
クリップ５２は、被支持部５１ａを支持可能に構成される。クリップ５２は、被支持部５１ａを内部に配置可能な曲率半径を有し、その一部が被支持部５１ａの外径よりも小さい幅で開口する円弧筒状に構成される。クリップ５２は、開口する端部の軸方向の幅が被支持部５１ａの軸方向の幅よりも大きく構成される。クリップ５２は、端部間に位置する部位の軸方向の幅が被支持部５１ａの軸方向の幅と同一に構成される。
【００３２】
より具体的に説明すると、クリップ５２は、一部が開口する円弧状部５２ａと、円弧状部５２ａの開口端に設けられた一対のリップ５２ｂと、を備えている。円弧状部５２ａの軸方向の幅は、被支持部５１ａの軸方向の幅と同一に構成される。円弧状部５２ａは、開口する幅が、被支持部５１ａの外径よりも小さく構成される。例えば、円弧状部５２ａの開口幅は、被支持部５１ａの外径よりも若干小さい幅で構成される。また、円弧状部５２ａの曲率半径は、被支持部５１ａの半径よりも若干大きく構成される。
【００３３】
リップ５２ｂは、円弧状部５２ａの開口する端部から、例えば、円弧状部５２ａの径方向に沿って延びる。リップ５２ｂは、円弧状部５２ａの軸方向の幅が、被支持部５１ａの軸方向の幅よりも大きく構成される。一対のリップ５２ｂは、円弧状部５２ａの開口する端部から外方に向かって互いに離間する方向に広がる。
【００３４】
支持部材５３は、モータケーシング又は電装部１６に固定される基部６１と、基部６１に固定される、一方向に長いロッド６２と、を備えている。支持部材５３は、ロッド６２に固定された複数のクリップ５２を備える。
【００３５】
基部６１は、基部６１がモータケーシング等に固定されたときに、軸方向が重力方向に配置されるロッド６２を挿通可能な孔部６１ａと、孔部６１ａの軸方向に交差する方向に設けられた螺子穴６１ｂと、螺子穴６１ｂに螺合される所謂ホーローセットやイモネジと呼ばれる止めねじ６１ｃと、を備えている。止めねじ６１ｃは、螺子穴６１ｂに螺合することで、孔部６１ａに挿入されたロッド６２を固定可能に構成される。
【００３６】
ロッド６２は、一端側が基部６１に固定されるとともに、他端側に複数、例えば３つのクリップ５２が一体に設けられる。ロッド６２に設けられた３つのクリップ５２は、等間隔に配置される。ロッド６２は、例えば、クリップ５２の円弧状部５２ａの軸方向がモータケーシングの径方向に沿うように、孔部６１ａに固定される。ロッド６２は、止めねじ６１ｃで固定される位置を変更することで、基部６１からクリップ５２までの高さが調整される。ロッド６２は、基部６１に固定される部位に、ロッド６２の高さ位置を示す複数のメモリやラインにより構成された表示部６２ａを有する。
【００３７】
支持プラグ５４は、供給孔２４ａに螺合可能な雄螺子部を有し、供給孔２４ａを閉塞するプラグ５４ａと、プラグ５４ａの端部に一体に形成されたクリップ５２と、を備えている。支持プラグ５４は、例えば、クリップ５２の円弧状部５２ａの軸方向がモータケーシングの径方向に沿うように、プラグ５４ａにクリップ５２が一体に配置される。
【００３８】
電装部１６は、カバー７１と、カバー７１内に配置された制御盤７３と、制御盤７３及びモータ１１に接続される電源ケーブル７２と、を備えている。
【００３９】
カバー７１は、一端が閉塞するとともに、電源ケーブル７２及びフロートスイッチ１４のケーブル４１をそれぞれ挿通して固定する一対の固定部７１ａを有する。一対の固定部７１ａは、カバー７１の上面であって、例えば対称位置に設けられた開口と、この開口に挿入され、各ケーブル４１、７２を液密に支持する支持体７１ｂと、を備えている。カバー７１は、例えば、樹脂材料により形成されている。
【００４０】
制御盤７３は、フロートスイッチ１４のＯＮ／ＯＦＦに基づいてモータ１１を所定の回転数で駆動可能に構成される。例えば、制御盤７３は、高さ方向で２番目に高い、換言すると最も低い位置のフロートスイッチ１４がＯＮになっているとともに、１番目に高い位置のフロートスイッチ１４がＯＮになったときに、モータ１１を所定の回転数で駆動可能に構成される。また、制御盤７３は、モータ１１の駆動時であって、高さ方向で最も低い位置のフロートスイッチ１４がＯＦＦになった場合に、モータ１１を停止可能に構成される。
【００４１】
このように構成されたケーブル支持構造１５を有するポンプ装置１によれば、フロートスイッチ１４のケーブル４１は、所定の位置に支持具５１が設けられるとともに、支持具５１の被支持部５１ａがクリップ５２に嵌合されることで、支持される。このため、ケーブル４１を支持部材５３及び支持プラグ５４に固定するときに、所定の位置でケーブル４１を取り付けることが可能となる。換言すると、フロートスイッチ１４は、ケーブル４１のフロート４２から所定の位置に支持具５１が設けられることから、ケーブル４１を支持部材５３及び支持プラグ５４に設けられたクリップ５２に固定したときに、当該固定した位置からフロート４２までの長さが一定となる。このため、フロートスイッチ１４は、ケーブル支持構造１５を介してモータ１１又はポンプ１２へ取り付けるときに、フロート４２から固定位置までの長さを寸法測定する必要がなく、高い作業性を有する。また、当該長さが一定となることで、一定の角度でスイッチが切り替えられるため、フロートスイッチ１４は高い精度で水位を検出することが可能となる。
【００４２】
また、ケーブル支持構造１５は、支持具５１の被支持部５１ａの両端にフランジ５１ｂを設けるとともに、クリップ５２の円弧状部５２ａの開口から被支持部５１ａを挿入することで、クリップ５２により支持具５１が支持されるとともに、軸方向の支持具５１の移動が、フランジ５１ｂにより規制される構成である。このため、容易に支持具５１をクリップ５２により支持することが可能となるため、フロートスイッチ１４を簡単に取り付けることが可能となる。このため、ポンプ装置１は、作業性がよい。
【００４３】
また、支持具５１は、フロート４２側のフランジ５１ｂに、ケーブルブーツ５１ｃを有することから、ケーブル４１の屈曲性能が向上する。即ち、水位変位によってフロート４２が上下移動し、支持具５１を支点にケーブル４１が屈曲しても、屈曲により生じる応力が分散される。また、被支持部５１ａの半径よりもクリップ５２の曲率半径が若干大きく構成される。このため、ケーブル４１の素線が固定されない。これらのことから、ケーブル４１内の導体素線が断線することを防止できる。
【００４４】
また、ケーブル支持構造１５は、ケーブル４１に一体に設けられた支持具５１、並びに、ロッド６２及びプラグ５４ａに一体に設けられたクリップ５２により構成される。また、支持具５１は、クリップ５２に嵌合することで固定される構成である。このため、従来のクランプを用いた構成に比べ、部品点数が少なく、また、組立も容易である。
【００４５】
また、クリップ５２は、一対のリップ５２ｂが円弧状部５２ａから離間するに従い離間する幅が広がるように構成されるとともに、その幅が被支持部５１ａの幅よりも広く構成される。このため、支持具５１をクリップ５２に嵌合させるときに、被支持部５１ａを一対のリップ５２ｂ間に配置して押し込むことで、リップ５２ｂ間の幅が広がり、被支持部５１ａを円弧状部５２ａに案内することが可能となり、高い作業性を有する。また、円弧状部５２ａに嵌合した支持具５１がクリップ５２の開口側に外力等によって移動すると、一対のフランジ５１ｂがリップ５２ｂに当接して、支持具５１がクリップ５２から抜ける方向に移動することを規制できる。これにより、クリップ５２に支持具５１を取り付けた後に、支持具５１がクリップ５２から抜けることを防止できることから、確実にケーブル４１をロッド６２又はプラグ５４ａに固定することができる。
【００４６】
上述したように、本発明の一実施形態に係るポンプ装置１に用いられたケーブル支持構造１５によれば、容易にケーブル４１を支持可能であって、且つ、ケーブル４１の寿命の向上可能となる。
【００４７】
なお、本発明は前記実施形態に限定されるものではない。例えば、上述した例では、ポンプ装置１にケーブル支持構造１５を設ける構成を説明したがこれに限定されず、フロートスイッチ１４を用いる構成であれば、ポンプ装置１以外にもケーブル支持構造１５を用いてケーブル４１を支持可能である。同様に、ケーブル支持構造１５は、フロートスイッチ１４のケーブル４１に限られず、他のケーブルを支持することが可能となる。
【００４８】
また、支持具５１は、一方のフランジ５１ｂにケーブルブーツ５１ｃを有する構成を説明したがこれに限定されず、双方のフランジ５１ｂにそれぞれケーブルブーツ５１ｃを設ける構成であってもよい。この他、本発明の要旨を逸脱しない範囲で種々変形実施可能である。
【符号の説明】
【００４９】
１…ポンプ装置、１１…モータ、１２…ポンプ、１３…シール部材、１３ａ…シール室、１４…フロートスイッチ、１５…ケーブル支持構造、１６…電装部、２１…回転軸、２２…羽根車、２３…ポンプケーシング、２４…ケーシングカバー、２４ａ…供給孔、３１…吸込口、３２…吐出口、３３…ポンプ室、３４…開口部、３５…取付面、３７…脚部、４１…ケーブル、４２…フロート、５１…支持具、５１ａ…被支持部、５１ｂ…フランジ、５１ｃ…ケーブルブーツ、５２…クリップ、５２ａ…円弧状部、５２ｂ…リップ、５３…支持部材、５４…支持プラグ、５４ａ…プラグ、６１…基部、６１ａ…孔部、６１ｂ…螺子穴、６１ｃ…止めねじ、６２…ロッド、７１…カバー、７１ａ…固定部、７１ｂ…支持体、７２…電源ケーブル、７３…制御盤。
【図１】
2019030068.tif 000003
【図２】
2019030068.tif 000004
【図３】
2019030068.tif 000005
【図４】
2019030068.tif 000006